(57)【要約】      （修正有）【課題】実装するフィルタの数よりも多い種類の音色を再現良く選択することができる音色選択装置を提供する。【解決手段】音色選択装置Ｓは、ピックアップ信号が示す音の音色を変化させるフィルタ２１〜２３と、順次並んだ固定接点１〜３と可動接点４を有するスイッチＳＷ１とを有する。固定接点１〜３は、フィルタ２１〜２３の出力端と各々接続されている。可動接点４は、ユーザが操作するレバーと連動している。レバーは、可動接点４が固定接点１と短絡されるポジション、固定接点１と固定接点２と短絡されるポジション、固定接点２と短絡されるポジション、固定接点２と固定接点３と短絡されるポジション、固定接点３と短絡されるポジションを有する。また、可動接点４が固定接点２と固定接点３と短絡されるとき、スイッチＳＷ１と連動しフィルタ２３の回路内とフィルタ２３の出力端との間に抵抗３０を介挿するスイッチＳＷ２を有する。【選択図】図１
2014202978.tif 000002
【特許請求の範囲】
【請求項１】
共通の音信号が入力される複数のフィルタと、
前記複数のフィルタの出力端に各々接続された複数の固定接点と、操作子と連動する可動接点とを有し、前記可動接点が前記複数の固定接点の中の１つの固定接点と短絡された１または複数のポジションと、前記可動接点が前記複数の固定接点の中の２つの固定接点と短絡された１または複数のポジションとからなる複数のポジションを有し、前記操作子の操作に応じて前記複数のポジションの中の１つのポジションを選択する第１のスイッチと、
を具備することを特徴とする音色選択装置。
【請求項２】
前記第１のスイッチと同様な構成の第２のスイッチを有し、
前記第１のスイッチおよび前記第２のスイッチは各々ｋ個（ｋは複数）の固定接点を有し、前記第１のスイッチの可動接点が前記第１のスイッチの第ｋ−１の固定接点と短絡されるポジションにおいて、前記第２のスイッチの可動接点が前記第２のスイッチの第ｋ−１の固定接点と短絡され、前記第１のスイッチの可動接点が前記第１のスイッチの第ｋ−１の固定接点および第ｋの固定接点の両方と短絡されるポジションにおいて、前記第２のスイッチの可動接点が前記第２のスイッチの第ｋ−１の固定接点および第ｋの固定接点の両方と短絡されるものであり、
前記複数のフィルタのうち前記第１のスイッチの第ｋの固定接点に接続されたフィルタの出力端が前記第２のスイッチの第ｋ−１の固定接点に接続され、
前記第１のスイッチの第ｋの固定接点に接続されたフィルタの任意のノードと前記第２のスイッチの第ｋの固定接点との間にフィルタ特性調整用の素子または回路が介挿されたことを特徴とする請求項１に記載の音色選択装置。
【発明の詳細な説明】
【技術分野】
【０００１】
この発明は、音色を選択する装置に関する。
【背景技術】
【０００２】
エレクトリックベース（以下、単にベースという）などの電気楽器には、ピックアップで検出された信号（以下、ピックアップ信号という）が示す音の音色を各種の音色（例えば高音域を抑えて低音域を強調させた音色など）に変化させる音色選択装置が設けられることがある。
【０００３】
図９（Ａ）は、従来の音色選択装置の構成を示す回路図である。図９（Ａ）に示す音色選択装置は、ピックアップ信号が示す音の音色を変化させるフィルタ４１、４２および４３と、３つの固定接点５１、５２および５３と１つの可動接点５４を有するスイッチ５０とを有している。そして、スイッチ５０の固定接点５１〜５３にはフィルタ４１〜４３の出力端が各々接続されている。スイッチ５０は、例えば、可動接点５４が図示しないレバーに連動するレバースイッチ（特許文献１参照）である。このスイッチ５０のレバーは、可動接点５４が固定接点５１と短絡されるポジション、固定接点５２と短絡されるポジション、固定接点５３と短絡されるポジションを有する。この音色選択装置では、ピックアップ信号がフィルタ４１〜４３に供給され、フィルタ４１〜４３の出力信号がスイッチ５０の固定接点５１〜５３に各々供給される。そして、ユーザは、レバーの操作により可動接点５４を移動させ、可動接点５４を固定接点５１〜５３のうち所望のものと短絡させ、その固定接点に供給されるフィルタの出力信号を可動接点５４から出力させることができる。
【０００４】
また、ピックアップ信号が示す音の音色を変化させる他の技術として、図９（Ｂ）に示す構成のものもある。この図９（Ｂ）に示す装置は、ピックアップ信号が示す音の音色を変化させるフィルタ６１および６２と、可変抵抗７０とを有している。ここで、可変抵抗７０は、固定抵抗７１と、固定抵抗７１に接触し、かつ、その接触位置を手動により摺動可能な摺動子７２とを有する。そして、固定抵抗７１の両端にフィルタ６１および６２の出力端が接続されている。この技術では、ピックアップ信号がフィルタ６１および６２に供給され、フィルタ６１を通過した信号とフィルタ６２を通過した信号とを合成した信号が可変抵抗７０の摺動子７２から出力される。そして、固定抵抗７１の両端間において摺動子７２を摺動させてその位置を変えることにより、フィルタ６１を通過した信号とフィルタ６２を通過した信号の合成割合を変えることができる。このため、フィルタ６１を通過した信号とフィルタ６２を通過した信号の合成割合を無段階に変化させることができ、摺動子７２から出力される信号が示す音の音色をフィルタ６１を通過した信号が示す音の音色とフィルタ６２を通過した信号が示す音の音色との間で無段階に変化させることができる。
【先行技術文献】
【特許文献】
【０００５】
【特許文献１】米国特許第２５０３８８５号明細書
【発明の概要】
【発明が解決しようとする課題】
【０００６】
しかし、図９（Ａ）に示すスイッチ５０を有する音色選択装置には、スイッチ５０の固定接点５１〜５３に接続されるフィルタ４１〜４３の数よりも多い種類の音色を得ることができない、という問題がある。
【０００７】
また、図９（Ｂ）に示す技術には、可変抵抗７０の摺動子７２の位置を他の位置に変更してしまうと再度元の位置に正確に戻すことが難しく、音色の再現性が良くない、という問題がある。また、フィルタ６１および６２を可変抵抗７０における固定抵抗７１の両端に接続する構成であるためフィルタの数が２つに限られフィルタの数を増やすことが難しい、という問題がある。
【０００８】
この発明は以上のような事情に鑑みてなされたものであり、実装するフィルタの数よりも多い種類の音色を再現良く選択することができる音色選択装置を提供することを目的としている。
【課題を解決するための手段】
【０００９】
この発明は、共通の音信号が入力される複数のフィルタと、前記複数のフィルタの出力端に各々接続された複数の固定接点と、操作子と連動する可動接点とを有し、前記可動接点が前記複数の固定接点の中の１つの固定接点と短絡された１または複数のポジションと、前記可動接点が前記複数の固定接点の中の２つの固定接点と短絡された１または複数のポジションとからなる複数のポジションを有し、前記操作子の操作に応じて前記複数のポジションの中の１つのポジションを選択する第１のスイッチとを具備することを特徴とする音色選択装置を提供する。
【００１０】
この発明によれば、可動接点が複数の固定接点の中の１つの固定接点と短絡された１または複数のポジションにおいて選択された固定接点に接続されるフィルタを通過した信号が示す音の音色に加え、可動接点が複数の固定接点の中の２つの固定接点と短絡された１または複数のポジションにおいて選択された２つの固定接点の一方の固定接点に接続されるフィルタを通過した信号と他方の固定接点に接続されるフィルタを通過した信号とが合成された信号が示す音の音色を選択することができるため、実装するフィルタの数よりも多い種類の音色を再現良く選択することができる。
【００１１】
好ましい態様において、音色選択装置は、前記第１のスイッチと同様な構成の第２のスイッチを有し、前記第１のスイッチおよび前記第２のスイッチは各々ｋ個（ｋは複数）の固定接点を有し、前記第１のスイッチの可動接点が前記第１のスイッチの第ｋ−１の固定接点と短絡されるポジションにおいて、前記第２のスイッチの可動接点が前記第２のスイッチの第ｋ−１の固定接点と短絡され、前記第１のスイッチの可動接点が前記第１のスイッチの第ｋ−１の固定接点および第ｋの固定接点の両方と短絡されるポジションにおいて、前記第２のスイッチの可動接点が前記第２のスイッチの第ｋ−１の固定接点および第ｋの固定接点の両方と短絡されるものであり、前記複数のフィルタのうち前記第１のスイッチの第ｋの固定接点に接続されたフィルタの出力端が前記第２のスイッチの第ｋ−１の固定接点に接続され、前記第１のスイッチの第ｋの固定接点に接続されたフィルタの任意のノードと前記第２のスイッチの第ｋの固定接点との間にフィルタ特性調整用の素子または回路が介挿されたものである。
【００１２】
この態様によれば、第１のスイッチの可動接点と連動する第２のスイッチの可動接点が、第１のスイッチの第ｋの固定接点に接続された第２のスイッチの第ｋ−１の固定接点と、第１のスイッチの第ｋの固定接点に接続されたフィルタの任意のノードと接続された第２のスイッチの第ｋの固定接点との両方と短絡されたときに、第１のスイッチの第ｋの固定接点と第１のスイッチの第ｋの固定接点に接続されたフィルタの任意のノードとの間にフィルタ特性調整用の素子または回路が介挿されることにより、第１のスイッチの第ｋの固定接点に接続されたフィルタの特性が変化する。従って、第１のスイッチの第ｋ−１の固定接点に接続されたフィルタを通過した信号と第１のスイッチの第ｋの固定接点に接続された特性が変化したフィルタを通過した信号とを合成した出力信号が示す音の音色を所望の音色に調整することができる。
【図面の簡単な説明】
【００１３】
【図１】この発明の一実施形態による音色選択装置Ｓの構成を示す回路図である。
【図２】同音色選択装置ＳのスイッチＳＷ１の可動接点４に連結されるレバーＬのポジションと、スイッチＳＷ１における固定接点１〜３と可動接点４との短絡関係について説明する図である。
【図３】同音色選択装置ＳのスイッチＳＷ１の可動接点４に連結されるレバーＬのポジションをポジションＰ１としたときに選択されるフィルタ２１の周波数特性を示す図である。
【図４】同音色選択装置ＳのスイッチＳＷ１の可動接点４に連結されるレバーＬのポジションをポジションＰ２としたときに選択されるフィルタ２１とフィルタ２２を組み合わせたフィルタの周波数特性を示す図である。
【図５】同音色選択装置ＳのスイッチＳＷ１の可動接点４に連結されるレバーＬのポジションをポジションＰ３としたときに選択されるフィルタ２２の周波数特性を示す図である。
【図６】同音色選択装置ＳのスイッチＳＷ１の可動接点４に連結されるレバーＬのポジションをポジションＰ４としたときに選択されるフィルタ２２とフィルタ２３と抵抗３０を組み合わせたフィルタの周波数特性を示す図である。
【図７】同音色選択装置ＳのスイッチＳＷ１の可動接点４に連結されるレバーＬのポジションをポジションＰ５としたときに選択されるフィルタ２３の周波数特性を示す図である。
【図８】同音色選択装置ＳのスイッチＳＷ１の可動接点４に連結されるレバーＬのポジションをポジションＰ４としたときに抵抗３０を介挿しなかった場合におけるフィルタ２２とフィルタ２３を組み合わせたフィルタの周波数特性を示す図である。
【図９】従来の音色選択装置の構成を示す回路図である。
【発明を実施するための形態】
【００１４】
以下、図面を参照し、この発明の実施形態について説明する。
＜実施形態＞
図１は、この発明の一実施形態による音色選択装置Ｓの構成を示す回路図である。本実施形態による音色選択装置Ｓは、例えばベースに搭載される。音色選択装置Ｓは、ピックアップで検出されアンプを介して放音される音の音色をユーザ（奏者）によって選択された音色にする装置である。音色選択装置Ｓは、フィルタ２１、フィルタ２２、フィルタ２３、スイッチＳＷ１、スイッチＳＷ２および抵抗３０を有している。
【００１５】
フィルタ２１、２２および２３は、例えば抵抗およびコンデンサ等から構成されるアナログフィルタである。より詳細に説明すると、フィルタ２１は、中域周波数成分を減衰させるノッチフィルタである。フィルタ２２は、低域周波数から高域周波数に亙ってゲインがほぼ一定となる（周波数特性がフラットとなる）フィルタである。フィルタ２３は、遮断周波数より高い周波数成分を減衰させるローパスフィルタである。また、フィルタ２１、２２および２３の入力端同士は短絡されており、この短絡点にはピックアップ信号が供給される。
【００１６】
スイッチＳＷ１は、順次並んだ３つの固定接点１、２および３と１つの可動接点４を有している。スイッチＳＷ１の固定接点１、２および３には、フィルタ２１、２２および２３の出力端が各々接続されている。スイッチＳＷ１の可動接点４は、音色選択装置Ｓの出力端として機能する。
【００１７】
スイッチＳＷ１は、例えば、可動接点４とユーザが操作するレバーＬとが連結されたレバースイッチである。図２は、レバーＬのポジションと、スイッチＳＷ１における固定接点１〜３と可動接点４との短絡関係（可動接点４のポジション）について説明する図である。図２に示すように、レバーＬは、その取り得るポジションとして５つのポジションＰ１〜Ｐ５を有しており、ポジションＰ１〜Ｐ５のうちユーザの操作によって選択された１つのポジションにおいて保持される。また、スイッチＳＷ１の可動接点４は、レバーＬと連動する。より詳細に説明すると、レバーＬのポジションがポジションＰ１のとき、スイッチＳＷ１の可動接点４は固定接点１と短絡され、レバーＬのポジションがポジションＰ２のとき、スイッチＳＷ１の可動接点４は固定接点１と固定接点２の両方と短絡され、レバーＬのポジションがポジションＰ３のとき、スイッチＳＷ１の可動接点４は固定接点２と短絡され、レバーＬのポジションがポジションＰ４のとき、スイッチＳＷ１の可動接点４は固定接点２と固定接点３の両方と短絡され、レバーＬのポジションがポジションＰ５のとき、スイッチＳＷ１の可動接点４は固定接点３と短絡される。
【００１８】
スイッチＳＷ２は、スイッチＳＷ１と同様、順次並んだ３つの固定接点１１、１２および１３と１つの可動接点１４を有するスイッチである。より詳細に説明すると、固定接点１１は開放されており、固定接点１２はフィルタ２３の出力端（すなわちスイッチＳＷ１の固定接点３）に接続されており、固定接点１３は、抵抗３０を介してフィルタ２３の回路内（フィルタ２３の任意のノード）に接続されており、可動接点１４は開放されている。また、スイッチＳＷ２の可動接点１４は、スイッチＳＷ１の可動接点４に連動し（すなわちレバーＬに連動し）、固定接点１１〜１３と短絡される。すなわち、レバーＬのポジションがポジションＰ１のとき、スイッチＳＷ２の可動接点１４は固定接点１１と短絡され、レバーＬのポジションがポジションＰ２のとき、スイッチＳＷ２の可動接点１４は固定接点１１と固定接点１２の両方と短絡され、レバーＬのポジションがポジションＰ３のとき、スイッチＳＷ２の可動接点１４は固定接点１２と短絡され、レバーＬのポジションがポジションＰ４のとき、スイッチＳＷ２の可動接点１４は固定接点１２と固定接点１３の両方と短絡され、レバーＬのポジションがポジションＰ５のとき、スイッチＳＷ２の可動接点１４は固定接点１３と短絡される。従って、スイッチＳＷ２は、レバーＬのポジションがポジションＰ４のときに、フィルタ２３の回路内（フィルタ２３の任意のノード）とフィルタ２３の出力端（スイッチＳＷ１の固定接点３）との間に抵抗３０を介挿させる。
【００１９】
本実施形態による音色選択装置Ｓでは、共通のピックアップ信号がフィルタ２１〜２３に各々供給され、フィルタ２１〜２３の出力信号がスイッチＳＷ１の固定接点１〜３に各々供給される。そして、ユーザは、レバーＬを操作してそのポジションをポジションＰ１〜Ｐ５の中から選択することにより可動接点４を移動させて、所望の固定接点１〜３と短絡させ、その短絡された固定接点１〜３に供給されるフィルタの出力信号を可動接点４から出力させることができる。このときに選択される固定接点１〜３に接続されるフィルタの周波数特性により音色選択装置Ｓの出力信号が示す音の音色が変化する。
【００２０】
図３〜図７は、レバーＬのポジションがポジションＰ１〜Ｐ５の各々のときに選択されるフィルタの周波数特性を示す図である。
【００２１】
レバーＬのポジションがポジションＰ１の場合、可動接点４と短絡された固定接点１に接続されたフィルタ２１を通過した信号が可動接点４から出力される。この場合に選択された固定接点１に接続されたフィルタ２１は、図３に示すように、低域周波数と高域周波数のゲインが押し上げられ、中域周波数のゲインが低下した周波数特性を示す。これにより、フィルタ２１を通過した信号、すなわち、音色選択装置Ｓの出力信号が示す音は、低音域（ＢＡＳＳ）と高音域（ＴＲＥＢＬＥ）が強調され、中音域（ＭＩＤＤＬＥ）が抑えられた音色を示す。この音色は、スラップ奏法（親指で弦を叩く動作と中指等で弦を引っ張って指板に打ちつける動作を組み合わせた奏法）に適したものである。
【００２２】
レバーＬのポジションがポジションＰ３の場合、可動接点４と短絡された固定接点２に接続されたフィルタ２２を通過した信号が可動接点４から出力される。この場合に選択された固定接点２に接続されたフィルタ２２は、図５に示すように、低域周波数から高域周波数に亙ってゲインがほぼ一定となる周波数特性を示す。これにより、フィルタ２２を通過した信号、すなわち音色選択装置Ｓの出力信号が示す音は、低音域から高音域に亙って均一的な音色を示す。
【００２３】
レバーＬのポジションがポジションＰ５の場合、可動接点４と短絡された固定接点３に接続されたフィルタ２３を通過した信号が可動接点４から出力される。この場合に選択された固定接点３に接続されたフィルタ２３は、図７に示すように、低域周波数と中域周波数のゲインが押し上げられ、高域周波数のゲインが低下した周波数特性を示す。これにより、フィルタ２３を通過した信号、すなわち、音色選択装置Ｓの出力信号が示す音は、低音域と中音域が強調され、高音域が抑えられた音色を示す。この音色は、ベースソロを弾くのに適したものである。
【００２４】
レバーＬのポジションがポジションＰ２の場合、可動接点４は固定接点１と固定接点２の両方と短絡されるため、フィルタ２１とフィルタ２２とが並列接続される。この場合、可動接点４と短絡された固定接点１に接続されたフィルタ２１を通過した信号と、可動接点４と短絡された固定接点２に接続されたフィルタ２２を通過した信号とが合成された信号が可動接点４から出力される。すなわち、この場合に選択された固定接点１に接続されたフィルタ２１と固定接点２に接続されたフィルタ２２とが並列接続されたフィルタは、フィルタ２１の周波数特性とフィルタ２２の周波数特性を合成した周波数特性を示す。そして、この場合のフィルタは、図４に示すように、高域周波数のゲインが押し上げられた周波数特性を示す。これにより、フィルタ２１を通過した信号とフィルタ２２を通過した信号とが合成された信号、すなわち、音色選択装置Ｓの出力信号が示す音は、高音域が強調された音色を示す。この音色は、ピック奏法（ピック弾き）の場合に適したものである。
【００２５】
レバーＬのポジションがポジションＰ４の場合、可動接点１４は固定接点１２と固定接点１３の両方と短絡されるためフィルタ２３の回路内とフィルタ２３の出力端との間に抵抗３０が介挿されるとともに、可動接点４は固定接点２と固定接点３の両方と短絡されるためフィルタ２２とフィルタ２３とが並列接続される。この場合、フィルタ２２を通過した信号と抵抗３０が介挿されたフィルタ２３を通過した信号とが合成された信号が可動接点４から出力される。すなわち、この場合に選択された固定接点２に接続されたフィルタ２２と固定接点３に接続された抵抗３０が介挿されたフィルタ２３とが並列接続されたフィルタは、フィルタ２２の周波数特性と、フィルタ２３の回路内とフィルタ２３の出力端との間に抵抗３０が介挿されたときのフィルタ２３の周波数特性とを合成した周波数特性を示す。そして、この場合のフィルタは、図６に示すように、低域周波数のゲインが押し上げられ、高域周波数のゲインが低下された周波数特性を示す。これにより、フィルタ２２を通過した信号と抵抗３０が介挿されたフィルタ２３を通過した信号とが合成された信号、すなわち、音色選択装置Ｓの出力信号が示す音は、低音域が強調され、高音域が抑えられた音色を示す。この音色は、フィンガー奏法（指弾き）の場合に適したものである。
【００２６】
本実施形態による音色選択装置Ｓでは、レバーＬのポジションがポジションＰ４の場合、フィルタ２３の回路内とフィルタ２３の出力端との間に抵抗３０を介挿する構成としたが、このようにした理由は以下の通りである。レバーＬのポジションがポジションＰ３のときの音色選択装置Ｓの出力信号が示す音色とレバーＬのポジションがポジションＰ５のときの音色選択装置Ｓの出力信号が示す音色が各々所望の音色となるようにフィルタ２２とフィルタ２３の周波数特性を各々決定すると（図５および図７参照）、フィルタ２２の周波数特性とフィルタ２３の周波数特性を合成した周波数特性（すなわち、レバーＬのポジションがポジションＰ４のときに選択されるフィルタの周波数特性）が所望の音色を示すものとならなかった。図８は、フィルタ２２の周波数特性とフィルタ２３の周波数特性（抵抗３０を介挿しない場合のフィルタ２３の周波数特性）を合成した周波数特性を示す図である。図８に示す周波数特性では、高域周波数のゲインは低下しているが、低域周波数のゲインはあまり押し上げられていない。レバーＬのポジションがポジションＰ４のときに選択されるフィルタの周波数特性は、図８に示す周波数特性に対して、さらに低域周波数のゲインが押し上げられたものとしたい。そこで、低域周波数のゲインをさらに押し上げるためにフィルタ２３の回路内とフィルタ２３の出力端の間に抵抗３０を介挿するようにした（図６参照）。すなわち、抵抗３０は、フィルタ２３の周波数特性を変化させて、フィルタ２２の周波数特性と変化させたフィルタ２３の周波数特性とを合成した周波数特性が所望の音色を示す周波数特性となるように合成した周波数特性を調整するフィルタ特性調整用素子として機能する。なお、フィルタ２１の周波数特性とフィルタ２２の周波数特性を合成した周波数特性は所望の音色を示すものであったため、レバーＬのポジションがポジションＰ２のときに選択されるフィルタの周波数特性の調整（フィルタ特性調整用素子の介挿）は行わなかった。
【００２７】
次に、本実施形態における音色選択装置Ｓを搭載したベースをユーザが弾く場合について説明する。ユーザは、例えば、スラップ奏法でベースを弾こうとする場合、音色選択装置ＳのレバーＬを動かしてそのポジションをポジションＰ１にする。そして、ユーザがスラップ奏法でベースを弾くと、ピックアップ信号が示す音は、音色選択装置Ｓによってスラップ奏法に適した音色に変化させられてアンプ等から放音される。また、スラップ奏法からピック奏法に奏法を変える場合、ユーザは、音色選択装置ＳのレバーＬを動かしてそのポジションをポジションＰ１からポジションＰ２に切り替える。そして、ユーザがピック奏法でベースを弾くと、ピックアップ信号が示す音は、音色選択装置Ｓによってピック奏法に適した音色に変化させられてアンプ等から放音される。このように、ユーザの奏法によって音色選択装置ＳのレバーＬのポジションＰ１〜Ｐ５を選択することにより、ユーザはその奏法に適した音色を得ることができる。なお、ユーザが音色選択装置ＳのレバーＬのポジションＰ１〜Ｐ５を選択した後にベースを弾くことにより所望の音色を得るだけでなく、ベースを弾いた後（弦を弾いた後）に音色選択装置ＳのレバーＬのポジションＰ１〜Ｐ５を選択して（切り替えて）、音が出ている最中に音色を変更することもできる。
【００２８】
このように、本実施形態による音色選択装置Ｓは、共通のピックアップ信号が入力される３つのフィルタ２１〜２３と、フィルタ２１〜２３の出力端に各々接続された順次並んだ固定接点１〜３とレバーＬと連動する可動接点４とを有し、可動接点４が固定接点１〜３の中の１つの固定接点１〜３と短絡されたポジション（レバーＬのポジションがポジションＰ１、Ｐ３およびＰ５のときの可動接点４のポジション）と、可動接点４が固定接点１〜３の中の２つの固定接点１〜３と短絡されたポジション（レバーＬのポジションがポジションＰ２およびＰ４のときの可動接点４のポジション）とからなる複数のポジションを有し、レバーＬの操作に応じて複数のポジションの中から１つのポジションを選択するスイッチＳＷ１とを有している。このため、可動接点４が１の固定接点１〜３と短絡されたポジション（すなわちポジションＰ１、Ｐ３およびＰ５）において選択された固定接点１〜３に接続されるフィルタ２１〜２３を通過した信号が示す音の音色に加え、可動接点４が固定接点１〜３の中の２つの固定接点１〜３と短絡されたポジション（すなわちポジションＰ２およびＰ４）において選択された２つの固定接点１〜３の一方の固定接点１〜３に接続されるフィルタ２１〜２３を通過した信号と他方の固定接点１〜３に接続されるフィルタ２１〜２３を通過した信号とが合成された信号が示す音の音色を選択することができる。すなわち、実装するフィルタ２１〜２３の数よりも多い種類の音色を選択することができる。また、レバーＬのポジションＰ１〜Ｐ５を切り替えて音色を変更したとしても、レバーＬを元のポジションＰ１〜Ｐ５に戻すことにより元の音色に戻すことができるため、音色の再現性が良い。また、音色の種類よりも実装するフィルタ２１〜２３の数が少ないため、部品点数を削減することができ、価格を抑えることができる。
【００２９】
また、本実施形態による音色選択装置Ｓでは、可動接点４が固定接点２と固定接点３の両方と短絡されるポジションにおいて、スイッチＳＷ１の可動接点４と連動する可動接点１４を有するスイッチＳＷ２により固定接点３に接続されたフィルタ２３の回路内と同フィルタ２３の出力端との間に抵抗３０を介挿している。このため、固定接点２に接続されたフィルタ２２を通過した信号と固定接点３に接続されたフィルタ２３を通過した信号とを合成した信号が示す音の音色が所望の音色とならない場合であっても、フィルタ２３の回路内とフィルタ２３の出力端の間に抵抗３０を介挿させることにより、フィルタ２３の周波数特性を変化させて、固定接点２に接続されたフィルタ２２を通過した信号と固定接点３に接続された周波数特性が変化されたフィルタ２３を通過した信号とを合成した信号が示す音の音色を所望の音色に調整することができる。また、本実施形態のように、抵抗３０を介挿するスイッチＳＷ２の可動接点１４をユーザが操作するレバーＬに連結されるスイッチＳＷ１の可動接点４と連動させることにより、音色の調整をユーザが意識することなく行うことができる。
【００３０】
＜他の実施形態＞
以上、この発明の一実施形態について説明したが、この発明には他にも実施形態が考えられる。例えば次の通りである。
【００３１】
（１）上記実施形態において、スイッチＳＷ１は、可動接点４にレバーＬが連結されたレバースイッチであったが、これに限られない。例えば、スイッチＳＷ１をトグルスイッチとしても良い。要は、可動接点が順次並んだ固定接点の中の２つの固定接点の両方と短絡するスイッチであれば良い。
【００３２】
（２）上記実施形態において、音色選択装置ＳのスイッチＳＷ１は、固定接点の数が３であり、可動接点のポジションの数が５であった。しかし、スイッチＳＷ１の固定接点の数および可動接点のポジションの数はこれに限られず、固定接点の数は２以上であり、可動接点のポジションの数は３以上であれば良い。また、音色選択装置Ｓは、３つのフィルタ２１〜２３を実装するものに限られず、２以上のフィルタを実装するものであれば良い。
【００３３】
（３）上記実施形態において、フィルタ２１はノッチフィルタ、フィルタ２２は周波数特性がフラットなフィルタ、フィルタ２３はローパスフィルタであったが、実装するフィルタはこれらに限られない。例えば、フィルタはこれらのフィルタの他、ハイパスフィルタやバンドパスフィルタなどを用いても良い。また、上記実施形態において、レバーＬのポジションがポジションＰ２のとき、ノッチフィルタと周波数特性がフラットなフィルタが並列接続され、レバーＬのポジションがポジションＰ４のとき、周波数特性がフラットなフィルタとローパスフィルタが並列接続されていたが、並列接続するフィルタの組み合わせはこれらに限られない。例えば、短絡される２つの固定接点の一方の固定接点にノッチフィルタを接続し、他方の固定接点にノッチフィルタ、周波数特性がフラットなフィルタ、ローパスフィルタ、ハイパスフィルタまたはバンドパスフィルタのいずれかを接続するという具合に、フィルタの組み合わせパターンはマトリクス的に考えられる。
【００３４】
（４）上記実施形態では、フィルタ２３の回路内とフィルタ２３の出力端の間に抵抗３０を介挿させることによりフィルタ２３の周波数特性を変化させていた。しかし、フィルタ２３の周波数特性を変化させる素子は抵抗３０に限られない。例えば、抵抗３０に代えてコンデンサを用いても良いし、抵抗とコンデンサを組み合わせたもの（回路）を用いても良い。また、上記実施形態では、ローパスフィルタであるフィルタ２３に抵抗３０を介挿する態様であったが、抵抗３０などの周波数特性を変化させる素子または回路を介挿するフィルタはローパスフィルタに限られない。例えばノッチフィルタの周波数特性を変化させたい場合にはノッチフィルタに抵抗３０などの素子または回路を介挿すれば良い。従って、上記変形例（３）で示した各種のフィルタに、抵抗、コンデンサ、抵抗とコンデンサを組み合わせたものなどを介挿する自由な組み合わせが考えられる。また、１つのフィルタに対して介挿する素子または回路（抵抗、コンデンサ、抵抗とコンデンサを組み合わせたものなど）を各々切り替えることにより周波数特性を複数種に変化させても良い。また、フィルタの周波数特性を変化させるのは、フィルタを並列接続した場合（レバーＬのポジションがポジションＰ４の場合など）に限られず、１のフィルタを選択した場合でも良い。
【００３５】
（５）上記実施形態において、フィルタ２３の周波数特性を変化させるためのスイッチＳＷ２の可動接点１４は、音色を選択するためのスイッチＳＷ１の可動接点４と連結されていた。しかし、スイッチＳＷ２の可動接点１４をスイッチＳＷ１の可動接点４と連結させず、スイッチＳＷ２の可動接点１４に別個のレバーを連結して、スイッチＳＷ１から独立してスイッチＳＷ２の可動接点１４を操作することができるようにしても良い。
【００３６】
（６）上記実施形態において、レバーＬにより選択される音色は、ベースの各奏法に適した音色であった。しかし、レバーＬにより選択される音色は、ベースの各奏法に適した音色に限られず、各種の音色であっても勿論良い。
【００３７】
（７）上記実施形態において、音色選択装置Ｓはベースに搭載されていたが、これに限られない。例えば、エレクトリックギターやピックアップを搭載したアコースティックギターなどの他の楽器に搭載しても良い。また、楽器ではなく、例えばベースが接続されたアンプなどの他の音響機器に搭載しても良い。
【符号の説明】
【００３８】
Ｓ…音色選択装置、ＳＷ１，ＳＷ２…スイッチ、１，２，３，１１，１２，１３…固定接点、４，１４…可動接点、２１，２２，２３…フィルタ、３０…抵抗、Ｌ…レバー、Ｐ１，Ｐ２，Ｐ３，Ｐ４，Ｐ５…ポジション。
【図１】
2014202978.tif 000003
【図２】
2014202978.tif 000004
【図３】
2014202978.tif 000005
【図４】
2014202978.tif 000006
【図５】
2014202978.tif 000007
【図６】
2014202978.tif 000008
【図７】
2014202978.tif 000009
【図８】
2014202978.tif 000010
【図９】
2014202978.tif 000011